(57)【要約】【課題】簡単な構成でリターンチューブの固定ができると共に、組立作業性を向上させ、低コストなリターンチューブ式ボールねじを提供する。【解決手段】外周面に螺旋状のねじ溝４を形成したねじ軸２と、このねじ軸２に外嵌し、内周面に螺旋状のねじ溝を形成したナット３と、対向する両ねじ溝により形成された転動路に収容した複数のボールと、ナット３の外周面に露出し、ねじ軸２におけるねじ溝４のランド部４ａを乗り越えるボール循環路を構成するリターンチューブ５と、このリターンチューブ５をナット３に固定するチューブ押え板６とを備え、ナット３の外周面に係止溝１３を形成し、この係止溝１３にチューブ押え板６の端部を係止した。【選択図】　　　図１
2004100816.tif 000002
【特許請求の範囲】
【請求項１】
外周面に螺旋状のねじ溝を形成したねじ軸と、このねじ軸に外嵌し、内周面に螺旋状のねじ溝を形成したナットと、対向する両ねじ溝により形成された転動路に収容した複数のボールと、前記ナットの外周面に露出し、前記ねじ軸におけるねじ溝のランド部を乗り越えるボール循環路を構成するリターンチューブと、このリターンチューブを前記ナットに固定するチューブ押え部材とを備え、前記ナットの外周面に係止溝を形成し、この係止溝に前記チューブ押え部材の端部を係止したことを特徴とするリターンチューブ式ボールねじ。
【請求項２】
前記チューブ押え部材を鋼鈑からプレス加工にて形成し、この端部を弾性変形させて前記係止溝に係止した請求項１に記載のリターンチューブ式ボールねじ。
【請求項３】
前記係止溝の近傍を前記チューブ押え部材側に加締めた請求項１または２に記載のリターンチューブ式ボールねじ。
【請求項４】
前記リターンチューブを、断面が略半円形の一対のチューブ片を重ね合わせて構成した請求項１乃至３いずれかに記載のリターンチューブ式ボールねじ。
【請求項５】
前記リターンチューブとチューブ押え部材とを一体に形成した請求項４に記載のリターンチューブ式ボールねじ。
【請求項６】
外周面に螺旋状のねじ溝を形成したねじ軸と、このねじ軸に外嵌し、内周面に螺旋状のねじ溝を形成したナットと、対向する両ねじ溝により形成された転動路に収容した複数のボールと、前記ナットの外周面に露出し、前記ねじ軸におけるねじ溝のランド部を乗り越えるボール循環路を構成するリターンチューブと、このリターンチューブを前記ナットに固定するチューブ押え部材とを備え、前記ナットの外周面に嵌合孔を形成し、この嵌合孔に前記チューブ押え部材を圧入したことを特徴とするリターンチューブ式ボールねじ。
【請求項７】
前記リターンチューブを、断面が略半円形の一対のチューブ片を重ね合わせて構成すると共に、このチューブ片に前記チューブ押え部材を一体に形成し、このチューブ押え部材を前記ナットの嵌合孔に圧入した請求項６に記載のリターンチューブ式ボールねじ。
【請求項８】
前記ナットの外周面に前記リターンチューブの傾き角に合わせ傾斜した凹所を形成し、この凹所に前記リターンチューブの一部を収容した請求項１乃至７いずれかに記載のリターンチューブ式ボールねじ。
【発明の詳細な説明】
【０００１】
【発明の属する技術分野】
本発明は、リターンチューブ式ボールねじに関し、特に、リターンチューブを固定するチューブ押え構造の改良に関する。
【０００２】
【従来の技術】
ボールねじの代表的なボール循環方式であるリターンチューブ式ボールねじを図９に示す。このボールねじ５０は、螺旋状のねじ溝５１を有するねじ軸５２にボール５３を介してナット５４を外嵌している。フランジ５４ａを一体に形成したナット５４の内周には、ねじ軸５２のねじ溝５１に対応する螺旋状のねじ溝５５を設けている。例えばねじ軸５２の回転により、ボール５３が両ねじ溝５１、５５内を転動しながら移動し、ナット５４を直線移動させる。すなわち、ねじ軸５２の回転をナット５４の直線運動に変換させる用途に適用する。このボール５３の移動はナット５４の内部を循環させて行なうため、ナット５４の外周にリターンチューブ５６を装着している。
【０００３】
円筒状のナット５４の外周には一部を切欠いた平面部５７を形成し、内周のねじ溝５５に連通する一対の孔５８を、ねじ軸５２を跨いで開口させている。一方、リターンチューブ５６は略コの字状に形成し、両端部をこの一対の孔５８に挿入して、ねじ溝５１のランド部５９を乗り越えるボール循環路６０を構成している。図示の場合は、２本のリターンチューブ５６、５６を傾斜させて並設しているが、リターンチューブ５６の本数は１本の場合も、また３本、４本と多数の場合もある。
【０００４】
このリターンチューブ５６はその本数に係わらず、ナット５４の平面部５７に固定ねじ６１を介してチューブ押え板６２によって固定している。このチューブ押え板６２は、ブロック材から機械加工で削り出したブロック品や鋼鈑をプレス成形したプレス品からなっている。
【０００５】
こうしたチューブ押え板６２は、その端部締結された固定ねじ６１によって固定しているが、通常、チューブ押え板６２と固定ねじ６１間に座金を挿入したり、また、固定ねじ６１のねじ部に接着剤を塗布する等して、この固定ねじ６１が緩むのを防止していた。しかし、係る先行技術は、文献公知発明に係るものでないため、記載すべき先行技術文献情報はない。
【０００６】
【発明が解決しようとする課題】
しかしながら、こうしたリターンチューブ式ボールねじにおいて、使用中の雰囲気温度の変化や微小振動の繰返し等によって固定ねじ６１が緩む恐れがあった。また、組立現場において、接着剤の使用によって作業環境が悪化する問題も内在していた。この固定ねじ６１の緩みは良好なボールねじの作動性が維持できなくなるばかりでなく作動不良を来す恐れがあり、リターンチューブの確実で低コストな固定手段の改良が望まれている。
【０００７】
本発明は、このような事情に鑑みてなされたもので、簡単な構成でリターンチューブの固定ができると共に、組立作業性を向上させ、低コストなリターンチューブ式ボールねじを提供することを目的としている。
【０００８】
【課題を解決するための手段】
係る目的を達成すべく、本発明のうち請求項１記載の発明は、外周面に螺旋状のねじ溝を形成したねじ軸と、このねじ軸に外嵌し、内周面に螺旋状のねじ溝を形成したナットと、対向する両ねじ溝により形成された転動路に収容した複数のボールと、前記ナットの外周面に露出し、前記ねじ軸におけるねじ溝のランド部を乗り越えるボール循環路を構成するリターンチューブと、このリターンチューブを前記ナットに固定するチューブ押え部材とを備え、前記ナットの外周面に係止溝を形成し、この係止溝に前記チューブ押え部材の端部を係止した。
【０００９】
このように、ナットに形成した係止溝に、チューブ押え部材の端部を係止させてリターンチューブを固定するようにしたので、従来の固定ねじ等を廃止することができ、部品点数を削減して低コスト化を図ることができると共に、組立作業を簡素化することができる。
【００１０】
好ましくは、請求項２に記載の発明のように、前記チューブ押え部材を鋼鈑からプレス加工にて形成し、この端部を弾性変形させて前記係止溝に係止すれば、ワンタッチでチューブ押え部材をナットに装着することができ、一層組立作業を向上させることができる。
【００１１】
好ましくは、請求項３に記載の発明のように、前記係止溝の近傍を前記チューブ押え部材側に加締めることにより、チューブ押え部材をガタなくナットに固定することができ、長期間に渡って良好なボールねじの作動性を維持することができる。
【００１２】
さらに好ましくは、請求項４に記載の発明のように、前記リターンチューブを、断面が略半円形の一対のチューブ片を重ね合わせて構成すれば、適宜な形状に、かつ精度良く形成することができると共に、生産性が向上して低コスト化を達成することができる。
【００１３】
好ましくは、請求項５に記載の発明のように、前記リターンチューブとチューブ押え部材とを一体に形成すれば、さらに部品点数を削減して低コスト化を図ることができると共に、一層組立作業を簡素化することができる。
【００１４】
また、請求項６に記載の発明は、外周面に螺旋状のねじ溝を形成したねじ軸と、このねじ軸に外嵌し、内周面に螺旋状のねじ溝を形成したナットと、対向する両ねじ溝により形成された転動路に収容した複数のボールと、前記ナットの外周面に露出し、前記ねじ軸におけるねじ溝のランド部を乗り越えるボール循環路を構成するリターンチューブと、このリターンチューブを前記ナットに固定するチューブ押え部材とを備え、前記ナットの外周面に嵌合孔を形成し、この嵌合孔に前記チューブ押え部材を圧入した。
【００１５】
このように、ナットに形成した嵌合孔にチューブ押え部材を圧入し、リターンチューブを固定するようにしたので、従来の固定ねじ等を廃止することができ、部品点数を削減して低コスト化を図ることができると共に、組立作業を簡素化することができる。
【００１６】
好ましくは、請求項７に記載の発明のように、前記リターンチューブを、断面が略半円形の一対のチューブ片を重ね合わせて構成すると共に、このチューブ片に前記チューブ押え部材を一体に形成し、このチューブ押え部材を前記ナットの嵌合孔に圧入すれば、さらに部品点数を削減して低コスト化を図ることができると共に、一層組立作業を簡素化することができる。
【００１７】
好ましくは、請求項８に記載の発明のように、前記ナットの外周面に前記リターンチューブの傾き角に合わせ傾斜した凹所を形成し、この凹所に前記リターンチューブの一部を収容すれば、リターンチューブの出っ張りを少なくし、コンパクト化を図ると共に、リターンチューブを一層ガタなくシックリと固定することができる。
【００１８】
【発明の実施の形態】
以下、本発明の実施の形態を図面に基づいて詳細に説明する。図１は、本発明に係るリターンチューブ式ボールねじの第１の実施形態を示し、（ａ）は平面図、（ｂ）は（ａ）のＩ−Ｉ線に沿った要部断面図である。
【００１９】
このボールねじ１は、ねじ軸２と、このねじ軸２に外嵌したナット３と、ねじ軸２の外周に形成した螺旋状のねじ溝４と、このねじ溝４に対応しナット３の内周に形成した螺旋状のねじ溝（図示せず）間に収容した複数のボール（図示せず）と、ボール循環路を構成するリターンチューブ５と、このリターンチューブ５を固定するチューブ押え板６とを備えている。
【００２０】
円筒状のナット３の外周面に平面部７を形成し、内周のねじ溝に連通する一対の孔８を、ねじ軸２を跨いで開口させている。一方、リターンチューブ５は、鋼鈑をプレス成形により略コの字状に形成し、両端部をこの一対の孔８に挿入している。このリターンチューブ５は、ねじ溝４のランド部４ａを乗り越えるボール循環路を構成している。図示の場合は、リターンチューブ５は、断面が半円形をなす一対のチューブ片を重ね合せたものであるが、通常のチューブをコの字状に曲げ成形したものでも良い。また、１本のリターンチューブ５を傾斜させて設けているが、リターンチューブ５の本数は２本の場合も、またそれ以上の多数の場合もある。９はナット３の平面部７の両側に突設したトラニオンで、図示しないハウジングに係止してナット３の回り止めを行う。
【００２１】
チューブ押え板６は鋼鈑をプレス加工によって形成している。このチューブ押え板６は略中央部にチューブ嵌合凹溝１０と、この両側に延設し、取付部となる袖部１１とを有している。チューブ嵌合凹溝１０は、リターンチューブ５の外周面に沿った円弧状に形成しているため、シックリとガタなくリターンチューブ５を包持することができる。
【００２２】
ナット３には、リターンチューブ５が露出して配設される平面部７に、この平面部７よりも一段高い一対の畝部１２を形成している。そして、この畝部１２の側壁１２ａは開口側（上面）に行くにしたがってその側壁間距離が狭くなるよう傾斜して形成している。そして、この対向する側壁１２ａの開口距離は、前記したチューブ押え板６の長さより僅かに短くなるように設定している。また、畝部１２の基部において、袖部１１の端部に位置する部位には係止溝１３を形成している。
【００２３】
チューブ押え板６は、チューブ嵌合凹溝１０でリターンチューブ５を包持すると共に、その袖部１１の端部を弾性変形させながら畝部１２の側壁１２ａに沿って押し込んでいく。このようにチューブ押え板６を弾性装着するようにすれば、従来の固定ねじを廃止することができると共に、チューブ押え板６の装着作業を格段に簡素化できる。したがって、低コストなリターンチューブ５の固定手段を提供することができる。
【００２４】
ここで、袖部１１の端部に位置する部位に係止溝１３を形成することにより、このチューブ押え板６を装着する際、二股状の治具等で袖部１１を押圧すれば、その端部は係止溝１３内まで一旦弾性変形し、その後、復元して確実に側壁１２ａに係止させることができる。したがって、端部の一部が側壁１２ａの開口部に引っ掛かったまま装着され、振動等で使用中に外れるという不具合等の発生はなくなる。この係止溝１３を形成することによって、チューブ押え板６の装着作業性を向上させ、かつ、確実に袖部１１の端部を側壁１２ａに係止させることができる。
【００２５】
本実施形態では、リターンチューブ５に略直交させてチューブ押え板６を装着しているが、チューブ嵌合凹溝１０を、リターンチューブ５の傾き角αに合わせ傾斜して形成し、チューブ押え板６をボールねじ１の軸線方向に装着しても良い。
【００２６】
図２は本発明に係るリターンチューブ式ボールねじの第２の実施形態を示し、（ａ）は平面図、（ｂ）は一部を断面した正面図である。ここで、第１の実施形態と異なる点はチューブ押え板の装着構造のみで、その他同一部品同一部位には同じ符号を付してその詳細な説明を省略する。
【００２７】
チューブ押え板１４は鋼鈑をプレス加工によって形成している。このチューブ押え板１４は、ねじ軸の軸線方向に沿って装着され、リターンチューブ５の傾き角αに合わせ傾斜して形成したチューブ嵌合凹溝１５と、この両側に延設し、取付部となる袖部１６とを有している。また、チューブ嵌合凹溝１５は、リターンチューブ５の外周面に沿った円弧状に形成している。
【００２８】
ナット１７には、リターンチューブ５が露出して配設される平面部１８を形成している。この平面部１８には、一対の突条１９と、チューブ押え板１４における袖部１６の端部に位置する部位に係止溝２０を形成している。袖部１６の端部は折曲され、この係止溝２０に嵌合している。さらに、突条１９を塑性変形させ、袖部１６の端部側に加締め、チューブ押え板１４を固定している。このようにチューブ押え板１４を加締固定するようにすれば、従来の固定ねじを廃止することができると共に、チューブ押え板１４の装着作業を格段に簡素化できる。したがって、低コストなリターンチューブ５の固定手段を提供することができる。
【００２９】
図３は本発明に係るリターンチューブ式ボールねじの第３の実施形態を示し、（ａ）は平面図、（ｂ）は（ａ）のＩＩＩ−ＩＩＩ線矢視図である。チューブ押え板２１は鋼鈑をプレス加工によって形成している。このチューブ押え板２１は略中央部にチューブ嵌合凹溝２２と、この両側に延設し、取付部となる袖部２３とを有している。チューブ嵌合凹溝２２は、リターンチューブ５の外周面に沿った円弧状に形成している。
【００３０】
ナット２４には、リターンチューブ５が露出して配設される平面部２５に、この平面部２５よりも一段高い一対の畝部２６を形成している。また、この畝部２６の側壁２７には凹所２７ａ形成している。ここで、チューブ押え板２１における袖部２３の端部をこの凹所２７ａに、また、チューブ嵌合凹溝２４をリターンチューブ５にそれぞれ嵌合し、リターンチューブ５に沿ってチューブ押え板２１をスライドしていく。その後、凹所２７ａの上面となる畝部２６の縁部を加締めてこの袖部２３の端部をガタなく固定している。なお、他の方法として、チューブ押え板２１を弾性変形させて屈曲させ、この凹所２７ａ内に袖部２３の端部を嵌挿すると共に、チューブ嵌合凹溝２２をリターンチューブ５に嵌合させるようにしても良い。
【００３１】
図４は本発明に係るリターンチューブ式ボールねじの第４の実施形態を示し、（ａ）は平面図、（ｂ）は（ａ）のＩＶ−ＩＶ線に沿った要部断面図である。チューブ押え板２８は鋼鈑をプレス加工によって形成している。このチューブ押え板２８は、両端の袖部２９が幅狭に形成された矩形状をなしている。このチューブ押え板２８には、前述したようなリターンチューブ５に嵌合するチューブ嵌合凹溝は特に形成されておらず、チューブ押え板２８をクの字状に弾性変形させ、略中央部でリターンチューブ５を押圧すると共に、袖部２９を係止溝３０に嵌挿している。係止溝３０はナット３１の平面部３２に傾斜して形成し、その上面の一部を加締めてチューブ押え板２８の袖部２９をガタなく固定している。このようにチューブ押え板２８をシンプルな形状としたため、チューブ押え板２８自体のコスト低減が図れると共に、従来のような固定ねじを使用せずに、リターンチューブ５をワンタッチでの固定することができ、組立作業を格段に簡素化できる。
【００３２】
図５は本発明に係るリターンチューブ式ボールねじの第５の実施形態を示し、（ａ）は平面図、（ｂ）は（ａ）のＶ−Ｖ線に沿った要部断面図である。この実施形態は前述した第４の実施形態の変形例で、チューブ押え板３３を、鋼鈑をプレス加工によってリターンチューブと一体に形成している。チューブ押え板３３は一対の半割り片３４、３４を重ね合わせて構成している。
【００３３】
図６（ａ）はこの半割り片３４を示す平面図、（ｂ）はその断面図である。半割り片３４は、略コの字状のチューブ片３４ａと取付部となる袖部３４ｂとからなっている。袖部３４ｂは幅狭に形成され、係止溝３０に嵌挿している。係止溝３０はナット３１の平面部３２に傾斜して形成し、その上面の一部を加締めて半割り片３４の袖部２９をガタなく固定している。このようにチューブ押え板３３をリターンチューブと一体に形成したため、部品点数を削減してコスト低減を図ると共に、従来のような固定ねじを使用せずに、リターンチューブをワンタッチで固定することができ、組立作業を格段に簡素化できる。なお、ここでは、チューブ押え板３３を鋼鈑プレス製としたが、燒結合金を型成形して形成しても良い。
【００３４】
図７は本発明に係るリターンチューブ式ボールねじの第６の実施形態を示し、（ａ）は平面図、（ｂ）は正面図である。円筒状のナット３５の外周に平面部３６を形成し、内周のねじ溝に連通する一対の孔３７を、ねじ軸２を跨いで開口させている。一方、リターンチューブ５は、鋼鈑をプレス成形により略コの字状に形成し、両端部をこの一対の孔３７に挿入している。このリターンチューブ５は、ねじ溝４のランド部４ａを乗り越えるボール循環路を構成している。図示の場合は、リターンチューブ５は、断面が半円形をなす一対のチューブ片を重ね合せたものであるが、通常のチューブをコの字状に曲げ成形したものでもよい。
【００３５】
チューブ押え部材３８は、リターンチューブ５の傾き角αに合わせ傾斜して形成したチューブ嵌合凹溝３９を有している。平面部３６には嵌合孔４０を形成し、この嵌合孔４０にチューブ押え部材３８を圧入し、リターンチューブ５を固定している。ここで、ナット３５の外周面にリターンチューブ５の傾き角αに合わせ傾斜して嵌合凹所を形成し、リターンチューブ５の一部を収容するようにしても良い。これにより、リターンチューブ５の出っ張りを少なくし、コンパクト化を図ると共に、リターンチューブ５を一層ガタなくシックリと固定することができる。
【００３６】
図８は本発明に係るリターンチューブ式ボールねじの第７の実施形態を示し、（ａ）は平面図、（ｂ）は正面図である。円筒状のナット４１の外周に、内周のねじ溝に連通する一対の孔３７を、ねじ軸２を跨いで開口させている。一方、リターンチューブ４２は、鋼鈑をプレス成形により略コの字状に形成し、両端部をこの一対の孔３７に挿入している。このリターンチューブ４２は、ねじ溝４のランド部４ａを乗り越えるボール循環路を構成している。
【００３７】
リターンチューブ４２は、断面が半円形をなす一対のチューブ片を重ね合せて構成し、下部にチューブ押え部材となる嵌合片４３をそれぞれ突設している。一方、ナット４１の外周面には嵌合孔４４を形成し、この嵌合孔４４に嵌合片４３を圧入してリターンチューブ４２をナット４１に固定している。
【００３８】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【００３９】
【発明の効果】
以上詳述したように、本発明に係るリターンチューブ式ボールねじにあっては、外周面に螺旋状のねじ溝を形成したねじ軸と、このねじ軸に外嵌し、内周面に螺旋状のねじ溝を形成したナットと、対向する両ねじ溝により形成された転動路に収容した複数のボールと、前記ナットの外周面に露出し、前記ねじ軸におけるねじ溝のランド部を乗り越えるボール循環路を構成するリターンチューブと、このリターンチューブを前記ナットに固定するチューブ押え部材とを備え、前記ナットの外周面に係止溝を形成し、この係止溝に前記チューブ押え部材の端部を係止したので、従来の固定ねじ等を廃止することができ、部品点数を削減して低コスト化を図ることができると共に、組立作業を簡素化することができる。なお、前記ナットの外周面に嵌合孔を形成し、この嵌合孔に前記チューブ押え部材を圧入しても前述した構成と同様の効果を得ることができる。
【図面の簡単な説明】
【図１】（ａ）は、本発明に係るリターンチューブ式ボールねじの第１の実施形態を示す平面図である。（ｂ）は、（ａ）のＩ−Ｉ線に沿った要部断面図である。
【図２】（ａ）は、本発明に係るリターンチューブ式ボールねじの第２の実施形態を示す平面図である。（ｂ）は一部を断面した正面図である。
【図３】（ａ）は、本発明に係るリターンチューブ式ボールねじの第３の実施形態を示す平面図である。（ｂ）は、（ａ）のＩＩＩ−ＩＩＩ線矢視図である。
【図４】（ａ）は、本発明に係るリターンチューブ式ボールねじの第４の実施形態を示す平面図である。（ｂ）は、（ａ）のＩＶ−ＩＶ線に沿った要部断面図である。
【図５】（ａ）は、本発明に係るリターンチューブ式ボールねじの第５の実施形態を示す平面図である。（ｂ）は、（ａ）のＶ−Ｖ線に沿った要部断面図である。
【図６】（ａ）は、本発明に係るチューブ押え板を構成する半割り片を示す平面図である。（ｂ）は（ａ）の断面図である。
【図７】（ａ）は、本発明に係るリターンチューブ式ボールねじの第６の実施形態を示す平面図である。（ｂ）は、同上正面図である。
【図８】（ａ）は、本発明に係るリターンチューブ式ボールねじの第７の実施形態を示す平面図である。（ｂ）は、同上正面図である。
【図９】従来のリターンチューブ式ボールねじを示す一部を破断した斜視図である。
【符号の説明】
１・・・・・・・・・・・・・・・・・リターンチューブ式ボールねじ
２・・・・・・・・・・・・・・・・・ねじ軸
３、１７、２４、３１、３５、４１・・ナット
４・・・・・・・・・・・・・・・・・ねじ溝
４ａ・・・・・・・・・・・・・・・・ランド部
５、４２・・・・・・・・・・・・・・リターンチューブ
６、１４、２１、２８、３３・・・・・チューブ押え板
７、１８、２５、３２、３６・・・・・平面部
８、３７・・・・・・・・・・・・・・孔
９・・・・・・・・・・・・・・・・・トラニオン
１０、１５、２２、３９・・・・・・・チューブ嵌合凹溝
１１、１６、２３、２９、３４ｂ・・・袖部
１２、２６・・・・・・・・・・・・・畝部
１２ａ、２７・・・・・・・・・・・・側壁
１３、２０、３０・・・・・・・・・・係止溝
１９・・・・・・・・・・・・・・・・突条
２７ａ・・・・・・・・・・・・・・・凹所
３４・・・・・・・・・・・・・・・・半割り片
３４ａ・・・・・・・・・・・・・・・チューブ片
３８・・・・・・・・・・・・・・・・チューブ押え部材
４０、４４・・・・・・・・・・・・・嵌合孔
４３・・・・・・・・・・・・・・・・嵌合片
５０・・・・・・・・・・・・・・・・リターンチューブ式ボールねじ
５１、５５・・・・・・・・・・・・・ねじ溝
５２・・・・・・・・・・・・・・・・ねじ軸
５３・・・・・・・・・・・・・・・・ボール
５４、６８・・・・・・・・・・・・・ナット
５４ａ・・・・・・・・・・・・・・・フランジ
５６、６４・・・・・・・・・・・・・リターンチューブ
５７、６９・・・・・・・・・・・・・平面部
５８・・・・・・・・・・・・・・・・孔
５９・・・・・・・・・・・・・・・・ランド部
６０・・・・・・・・・・・・・・・・ボール循環路
６１・・・・・・・・・・・・・・・・固定ねじ
６２・・・・・・・・・・・・・・・・チューブ押え板
α・・・・・・・・・・・・・・・・・傾き角
【図１】
2004100816.tif 000003
【図２】
2004100816.tif 000004
【図３】
2004100816.tif 000005
【図４】
2004100816.tif 000006
【図５】
2004100816.tif 000007
【図６】
2004100816.tif 000008
【図７】
2004100816.tif 000009
【図８】
2004100816.tif 000010
【図９】
2004100816.tif 000011